(57)【特許請求の範囲】
【請求項１】
四辺形の板ガラスを、その後端を壁内に埋め込んだ後端支持部で起伏自在かつ水平方向回動自在に支持し、かつその面内の一以上の部位を、後端を壁内に、先端を該面内の部位に、それぞれユニバーサルジョイントを介して結合した支持アームで支持する、ガラスによる壁面からの水平張り出し構造。
【請求項２】
前記後端支持部を、
前記四辺形の板ガラスの後端に外装する断面コ字形の外装保持部であって、その後部から後方に延長させた延長片及びその後端から垂下させた係止片を備えた外装保持部と、
該外装保持部を、これが保持する板ガラスをその前方に張り出させた状態で更に外装するための、上板部、下板部及び両者を結合する背板部からなる断面コ字形の支持枠部材であって、該外装保持部を、その上面と前記上板部との間及びその下面と前記下板部との間に各々配した弾性充填部材を介して上下起伏自在及び左右回動自在に保持し、かつ該外装保持部の後端と前記係止片との間に前記下板部から立ち上げた係合突片を挿入し、加えて前記背板部に壁面固定用のアンカーを固定した支持枠部材と、
で構成した請求項１のガラスによる壁面からの水平張り出し構造。
【請求項３】
前記弾性充填部材を、前記外装保持部の上面と前記上板部との間及び該外装保持部の下面と前記下板部との間の各最奥に充填して上下の各部材を結合するゴム製弾性部材と、最外部に充填するシーリング材と、上記ゴム製弾性部材と該シーリング材との間に配するバックアップ材とで構成した請求項２のガラスによる壁面からの水平張り出し構造。
【発明の詳細な説明】
【０００１】
【発明の属する技術分野】
本発明は、建築物に於ける庇や棚のような壁面から張り出した構造であって、張り出し部がガラスで構成されたガラスによる壁面からの水平張り出し構造に関するものである。
【０００２】
【従来の技術】
従来、ガラスで庇や棚のようなガラスによる壁面からの水平張り出し構造を構成する場合は、金属フレームで張り出し面を構成する板ガラスの周囲を囲んでこれを補強し、これを、更に、その後部を壁面に固設したＨ鋼や角パイプのような構造用フレームで支持し、同時に該構造用フレームの途中と壁面間を繋ぐ複数の棒状ステイでこれらを支持するように構成するのが普通であり、これらに於いて、板ガラスは荷重を受ける構造材ではなく、実質的には仕上げ材となっていたと云って良い構成となっていたものである。
【０００３】
このような従来例のガラスで構成した庇や棚は、上記のように、実質的には、ガラス部分は、金属フレーム等による構造材に付設した仕上げ材的に用いられてきたものであり、金属製の構造用フレームが大きな部分を占めるため、ガラスによる軽快でスマートな感じが得られず、重たく鈍い感じとなり、デザイン性に乏しい物となっていた。
【０００４】
【発明が解決しようとする課題】
本発明は、以上のような従来技術の問題点を解決して、金属製の構造材の仕上げ材のような態様ではなく、ガラスによって充分な強度を備えた庇や棚の構造を構成し得るようにすることにより、全体として、明るく軽快でスマートなデザインを容易に行うことができる優れたガラスによる壁面からの水平張り出し構造を提供することを解決の課題とするものである。
【０００５】
【課題を解決するための手段】
本発明の１は、四辺形の板ガラスを、その後端を壁内に埋め込んだ後端支持部で起伏自在かつ水平方向回動自在に支持し、かつその面内の一以上の部位を、後端を壁内に、先端を該面内の部位に、それぞれユニバーサルジョイントを介して結合した支持アームで支持する、ガラスによる壁面からの水平張り出し構造である。
【０００６】
本発明の２は、本発明の１のガラスによる壁面からの水平張り出し構造に於いて、前記後端支持部を、前記四辺形の板ガラスの後端に外装する断面コ字形の外装保持部であって、その後部から後方に延長させた延長片及びその後端から垂下させた係止片を備えた外装保持部と、該外装保持部を、これが保持する板ガラスをその前方に張り出させた状態で更に外装するための、上板部、下板部及び両者を結合する背板部からなる断面コ字形の支持枠部材であって、該外装保持部を、その上面と前記上板部との間及びその下面と前記下板部との間に各々配した弾性充填部材を介して上下起伏自在及び左右回動自在に保持し、かつ該外装保持部の後端と前記係止片との間に前記下板部から立ち上げた係合突片を挿入し、加えて前記背板部に壁面固定用のアンカーを固定した支持枠部材と、で構成したものである。
【０００７】
本発明の３は、本発明の２のガラスによる壁面からの水平張り出し構造に於いて、前記弾性充填部材を、前記外装保持部の上面と前記上板部との間及び該外装保持部の下面と前記下板部との間の各最奥に充填して上下の各部材を結合するゴム製弾性部材と、最外部に充填するシーリング材と、上記ゴム製弾性部材と該シーリング材との間に配するバックアップ材とで構成したものである。
【０００８】
【発明の実施の形態】
本発明は、四辺形の板ガラスを建築物の壁面から張り出させる、ガラスによる壁面からの水平張り出し構造であり、該四辺形の板ガラスの後端を壁内に埋め込んだ後端支持部で起伏自在かつ水平方向回動自在に支持し、かつ該板ガラスの面内の一以上の部位を、後端を壁内に、先端を該板ガラスの面内の部位に、それぞれユニバーサルジョイントを介して結合した支持アームで支持するように構成したものである。
【０００９】
前記四辺形の板ガラスとしては、一般の板ガラス、合わせガラス又は強化ガラス等の種々のそれを自由に採用することができる。もっともそれぞれ用途に応じた必要な強度を有する必要があるのは云うまでもない。たとえば、室内の壁面から張り出す棚に構成する場合は、その上に載せる物品の重さ等を考慮して板ガラスの種類を決定し、また建物外面の開口部上等に張り出す庇に構成する場合は、あり得る最大風圧等を考慮して用いる板ガラスの種類を決定する。後者の場合、通常、強化ガラス以外は採用が困難である。このように強化ガラスを採用した場合は、容易に損傷を生じることはないが、その一面に飛散防止フィルムを貼付し、たとえ、破損した場合でも、砕けたガラス片が飛散するのを防止するようにするのが適当である。
【００１０】
また前記板ガラスは、デザイン上の都合に応じて透明又は不透明のそれを自由に採用することができる。周囲のデザインと調和を取るべきなのは云うまでもない。
【００１１】
前記後端支持部は、前記のように、前記四辺形の板ガラスの後端を、壁内に埋め込まれた状態で、起伏自在かつ水平方向回動自在に支持し得るものであり、かつこの後端の支持は、後端の一部の支持ではなく、後端全体を支持するものである事を意味し、そうであれば、特定の構成に限定されない。
【００１２】
たとえば、前記後端支持部は、前記四辺形の板ガラスの後端に外装する断面コ字形の外装保持部であって、その後部から後方に延長させた延長片及びその後端から垂下させた係止片を備えた外装保持部と、該外装保持部を、これが保持する板ガラスをその前方に張り出させた状態で更に外装するための、上板部、下板部及び両者を結合する背板部からなる断面コ字形の支持枠部材であって、該外装保持部を、その上面と前記上板部との間及びその下面と前記下板部との間に各々配した弾性充填部材を介して上下起伏自在及び左右回動自在に保持し、かつ該外装保持部の後端と前記係止片との間に前記下板部から立ち上げた係合突片を挿入し、加えて前記背板部に壁面固定用のアンカーを固定した支持枠部材とで構成することができる。上記アンカーは、建物が木造の場合は、これに代えて釘とか木ねじ等の対応する適当な結合手段を採用することができる。
【００１３】
また前記弾性充填部材は、これを介して、前記板ガラスの後端を保持した外装保持部を、前記支持枠部材中に、起伏自在かつ水平方向回動自在に支持するための補助部材であり、そのような役割を果たし得るものであれば、特定のそれに限定されない。
【００１４】
たとえば、前記弾性充填部材は、前記外装保持部の上面と前記上板部との間及び該外装保持部の下面と前記下板部との間の各最奥に充填して上下の各部材を結合するゴム製弾性部材と、最外部に充填するシーリング材と、上記ゴム製弾性部材と該シーリング材との間に配するバックアップ材とで構成することができる。上記ゴム製弾性部材としてはクロロプレン等の合成ゴムが適当である。
【００１５】
前記外装保持部の後部から後方に延長させた延長片及びその後端から垂下させた係止片と、前記支持枠部材の下板部から立ち上げた係合突片とは、前記のように、該外装保持部の後端と該係止片との間に該下板部から立ち上げた係合突片を挿入し、これによって該外装保持部の抜け止めを図るものである。たとえば、該外装保持部が後端を支持する板ガラス（庇として構成されている場合等）が下方からの風圧を受け、これによって引っ張り方向の外力を受けた場合等に、その抜け止めの作用を担当するものである。
【００１６】
もっとも前記外装保持部の後端と前記係止片との間に挿入される係合突片は、同時に、該外装保持部を起伏自在かつ水平方向回動自在に前記支持枠部材に結合する作用をも果たす事となる。該外装保持部の水平方向の回動は、該外装保持部の後端と前記係止片との間に若干の余裕を持たせておき、この中に挿入されている係合突片を相対的に水平方向回動可能にしておく事により実現できる。
【００１７】
前記アンカーは、支持枠部材を壁体に固定する手段であり、前記のように、該支持枠部材の背板部に固定してあるものである。このアンカーの固定は、該背板部に開口した該アンカーの頭部側が抜けない径の結合孔にこれを挿入することで容易に実現できる。前記したように、ＲＣ造ではなく、木造の建築物が対象の場合は、前記アンカーに代えて、木ねじや釘等の適当な結合手段を採用すべきことは云うまでもない。いずれにしても結合手段はアンカーに限定されるものではない。
【００１８】
前記支持枠部材は、これを壁面の埋め込み用の横長の溝に埋め込み、前記アンカーを、該溝の底部に開口した下孔に、該支持枠部材の背板部を通じて挿入し、該アンカーを構成するボルト又は釘状部材をねじ込み又は打ち込んで、これを該下孔に固定し、これによって支持枠部材を壁面の埋め込み用の溝に埋め込んだ上で固定する事ができるようにするものである。
【００１９】
前記ユニバーサルジョイントは、横方向及び縦方向に同時に又は別々に自由に屈曲可能な構成であり、ジョイント部の必要な結合強度を確保できるものであれば、特定のそれに限定されない。たとえば、球状結合部とこれを横及び縦方向に同時に又は別々に回動自在に外装する外装結合部とからなるそれを採用することができる。上記球状結合部にはその一部から接続アームを延長し、上記外装結合部には板ガラスとの結合手段又は壁体との結合手段を付設する。上記接続アームは前記支持アームに接続する手段である。具体的な構成は自由である。
【００２０】
したがって本発明のガラスによる壁面からの水平張り出し構造によれば、建築物の内外の壁面から、庇や棚のような水平張り出し構造を、金属フレームのような構造材を使用せず、板ガラス自体を構造材として張出させて容易に構成することができるものであり、更に、このように、金属フレームのような構造材が付設されていないので、明るく軽快でスマートなデザインとすることができる。
【００２１】
また本発明のガラスによる壁面からの水平張り出し構造は、四辺形の板ガラスと、その後端を壁内に埋め込んで起伏自在かつ水平方向回動自在に支持する後端支持部と、該板ガラスの面内の一以上の部位を、後端を壁内に、先端を該面内の部位に、それぞれユニバーサルジョイントを介して結合した支持アームで支持とで構成するものであるため、上記板ガラスとユニバーサルジョイントを介してこれと結合する支持アームとは工場で組み立てて建築現場に運び込み、建築現場では、後端支持部の一部及び上記支持アームの後端に結合するユニバーサルジョイントをそれぞれ壁に固設した上で、前者には上記板ガラスの後端を挿入支持させ、後者には上記支持アームの後端をその長さを調節しつつ接続するのみで簡単に組立が完了できることとなる。
【００２２】
また本発明のガラスによる壁面からの水平張り出し構造によれば、後端支持部が、板ガラスを起伏自在かつ水平方向回動自在に支持し得る構造であるため、上記のように建築現場で組み立てる際に、支持アームの長さを伸縮調節することにより、該板ガラスの先端を上下させてその水平方向の角度を調節し、かつ左右方向の角度を調節して適切な状態に設定することができる。それ故、これを組み付ける壁面に凹凸や傾きがあってもこれに適切に対処することができる。
【００２３】
なお板ガラスは、以上のようにして、支持アームの長さが固定されると、必然的にその角度等が固定されることとなるが、該板ガラスの後端と後端支持部との結合は起伏自在かつ回動自在なものであり、弾力的に構成されることとなるので、該板ガラスに下方からの外力が働けば、その先端に対する引き抜き作用とともに押し上げ作用が働き、先端が若干上昇し、上方から外力が働けば、逆に動作する。また側方から外力が働けば、側方に若干傾く。こうして瞬間的に急激な外力が加わった場合にはこれによってその外力を吸収し、その損傷を防止することができるものである。
【００２４】
いずれにしても上記のような外力によって生じる引き抜き作用は、後端支持部を、前記したように、外装保持部と支持枠部材とで構成し、かつ該外装保持部の後端と係止片との間に、該支持枠部材の下板部から立ち上げた係合突片を挿入しておくことにより、これを一定範囲内に規制し、抜け止めを図りうるようにするのが適当である。
【００２５】
こうして従来のこの種の板ガラスを用いた庇や棚等と異なり、構造用のフレーム等を不要とし、明るく軽快なデザインとしながらも、外力に対する耐力を十分に確保することができることとなったものである。
【００２６】
以上に於いて、後端支持部は、前記のように、前記板ガラスを、その後端に外装して、起伏自在かつ水平方向回動自在に支持するものであり、そうであれば、特定の構成に限定されないが、前記のように、これを、前記四辺形の板ガラスの後端に外装する断面コ字形の外装保持部であって、その後部から後方に延長させた延長片及びその後端から垂下させた係止片を備えた外装保持部と、該外装保持部を、これが保持する板ガラスをその前方に張り出させた状態で更に外装するための、上板部、下板部及び両者を結合する背板部からなる断面コ字形の支持枠部材であって、該外装保持部を、その上面と前記上板部との間及びその下面と前記下板部との間に各々配した弾性充填部材を介して上下起伏自在及び左右回動自在に保持し、かつ該外装保持部の後端と前記係止片との間に前記下板部から立ち上げた係合突片を挿入し、加えて前記背板部に壁面固定用のアンカーを固定した支持枠部材とで構成することにより、前記板ガラスの後端の起伏自在かつ水平方向回動自在な支持を容易かつ確実に実現することができる。また該板ガラスが引き抜き作用を受けた際これを防止する作用をも容易に確保することができる。
【００２７】
また以上の後端支持部に於いて、前記弾性充填部材を、その趣旨に反しない限り種々に構成を採用可能であるが、前記のように、これを、前記外装保持部の上面と前記上板部との間及び該外装保持部の下面と前記下板部との間の各最奥に充填して上下の各部材を結合するゴム製弾性部材と、最外部に充填するシーリング材と、上記ゴム製弾性部材と該シーリング材との間に配するバックアップ材とで構成するとすれば、前記外装保持部を支持枠部材に起伏自在かつ水平方向回動自在に配することができるものであり、それ故、前記板ガラスの後端の起伏自在かつ水平方向回動自在な支持を容易かつ確実に実現することができる。また該外装保持部と前記支持枠部材との結合を弾力的で確実なものとすることができる。
【００２８】
【実施例】
以下、本発明の実施例を添付図を参照しながら詳細に説明する。
図１〜図３は本発明を適用した実施例１の庇を示すもので、図１はその庇の側面断面図、図２(a)は実施例１の庇に於ける板ガラスをその後端で水平状態に支持している後端支持部を示す拡大断面図、図２(b)は実施例１の庇に於ける板ガラスを一時的にその後端で先下がり状態に支持している後端支持部を示す拡大断面図、図２(c)は実施例１の庇に於ける板ガラスを一時的にその後端で先上がり状態に支持している後端支持部を示す拡大断面図、図３は実施例１の庇の概略斜視図である。
図４は本発明を適用した実施例２の棚の側面断面図である。
【００２９】
＜実施例１＞
図１及び図３に示すように、この実施例の庇は、基本的に、庇本体を構成する四辺形の板ガラス１と、その後端を支持する後端支持部２と、上記板ガラス１の上面の一部と上記板ガラス１が張り出す外壁３との間を各々ユニバーサルジョイント４、４を介して結合する一対の支持アーム５、５とで構成したものである。
【００３０】
前記板ガラス１として、この実施例では強化ガラスを採用し、かつその上面に図示しない飛散防止フィルムを貼付したものである。
【００３１】
前記後端支持部２は、その支持枠部材７を外壁３に形成した横長の溝内に埋め込んで固定し、その支持枠部材７に、前記板ガラス１の後端を挿入した外装保持部６を装入してこれを支持するように構成したものである。この支持は、該板ガラス１を起伏自在かつ水平方向回動自在となるように行うものである。
【００３２】
なお前記板ガラス１は、予め工場で、その面に、ユニバーサルジョイント４、４、支持アーム５、５及び外装保持部６をそれぞれ該当する部位に取り付けて、建築現場に運び込み、建築現場では、外壁３の該当する部位への支持枠部材７の取り付け、外壁３の該当する部位へのユニバーサルジョイント４、４の取り付け、及び、該支持枠部材７並びに両ユニバーサルジョイント４、４への工場生産の上記板ガラス１等の組み付けのみを行うようにしたものである。
【００３３】
前記後端支持部２は、具体的には、図１、図２(a)、図２(b)及び図２(c)に示すように、前記板ガラス１の後端全体を外装して接着固定する断面コ字形の外装保持部６と、上記外装保持部６を更に外装する断面コ字形の支持枠部材７と、上記支持枠部材７を構成する上板部７ａと上記外装保持部６の上面との間及び上記支持枠部材７の下板部７ｂと上記外装保持部６の下面との間にそれぞれ充填する弾性充填部材８と、上記支持枠部材７の背板部７ｃに取り付けた外壁３への固定用のアンカー９とで構成するものであり、その内、前記外装保持部６は、先に述べたように、予め工場で、前記板ガラス１の後端に外装し、接着剤で固定しておくものである。
【００３４】
前記外装保持部６は、図１、図２(a)、図２(b)及び図２(c)に示すように、その後端に後方に延長させた延長片６ａ及びその後端から垂下させた係止片６ｂを備えており、この外装保持部６を前記支持枠部材７中に組み込むと、その下板部７ｂから立ち上げた係合突片７ｄが該外装保持部６の後端と前記係止片６ｂとの間に進入係止することになり、該外装保持部６に対する抜け止め作用を果たすこととなる。更に該外装保持部６を該係合突片７ｄの先端付近を中心に起伏可能にもすることとなるものである。
【００３５】
また前記外装保持部６の後端と前記係止片６ｂとの間の隙間を、この間に挿入される係合突片７ｄの厚みに対して、この実施例では３倍程度になるように構成したため、該外装保持部６の後端と前記係止片６ｂとの間で前記係合突片７ｄに相対的に水平方向の回動の余裕をも持たせることとなっている。
【００３６】
前記支持枠部材７は、先に述べ、かつ図１、図２(a)、図２(b)及び図２(c)に示すように、断面コ字形の部材であり、その上部を構成する上板部７ａと、これと平行な下部を構成する下板部７ｂと、上記上板部７ａ及び下板部７ｂの後端を相互に結合する背板部７ｃとで構成したものである。既述のように、上記背板部７ｃに外壁３に固定するためのアンカー９を取り付ける。同図に示すように、この実施例では、アンカー９を、その本体の基端を該背板部７ｃの外面に当接させ、かつ内面側から該背板部７ｃに開口した結合孔を通じてビスを該本体に差し込む態様で、該背板部７ｃに固設するものである。なお、云うまでもなく、該アンカー９の本体側は上記ビスを深く差し込むことで周方向に膨らみ、挿入されている外壁３の下孔に固定されることになる。
【００３７】
前記支持枠部材７は、板ガラス１に固設した外装保持部６とは分離状態で、これのみを建築現場で外壁３に構成した溝中に装入し、前記アンカー９によってその溝中に固設する。この後、先に述べたように、板ガラス１に固設した外装保持部６をこれに組み込む作業手順とする。該板ガラス１は、工場で組み立てて、その組み立て状態で建築現場に運び込むものであることは先に述べた通りである。
【００３８】
前記弾性充填部材８は、図１、図２(a)、図２(b)及び図２(c)に示すように、前記外装保持部６の上面と前記支持枠部材７の上板部７ａとの間及び該外装保持部６の下面と前記支持枠部材７の下板部７ｂとの間のそれぞれに於いて、最奥部に充填し、上下の部材を結合するゴム製弾性部材８ａと、最外部に充填するシーリング材８ｂと、上記ゴム製弾性部材８ａと該シーリング材８ｂとの間に配するバックアップ材８ｃとで構成する。
【００３９】
同図に示すように、上記ゴム製弾性部材８ａの上下の面にはその長さ方向に沿ってＶ字状の溝と逆Ｖ字状の突条とが交互に形成してあり、他方、前記外装保持部６の対応する上面と前記支持枠部材７の上板部７ａの対応する下面、及び該外装保持部６の対応する下面と前記支持枠部材７の下板部７ｂの対応する上面には、それぞれ上記ゴム製弾性部材８ａのＶ字状の溝と逆Ｖ字状の突条に対応する逆Ｖ字状の突条とＶ字状の溝が形成してあり、それらは相互に嵌合し合い、正確な位置決めで相互の結合が確実なものになるようになっている。
【００４０】
なお以上の弾性充填部材８、８は、先に述べたような手順で、前記外壁３の溝に固設した支持枠部材７中に前記板ガラス１の後端の外装保持部６を組み込む際に、以上のような態様になるように、その充填作業を行うものである。
【００４１】
また既述のように、前記板ガラス１は、その上面の一部と該板ガラス１が張り出す外壁３との間を各々ユニバーサルジョイント４、４を介して結合する一対の支持アーム５、５で支持するものであり、各ユニバーサルジョイント４には、云うまでもなく、その一端側には支持アーム５との結合手段が構成され、他端側には板ガラス１の一部又は外壁３との結合手段が構成されている。
【００４２】
先に述べたように、上記支持アーム５、５の一端と上記板ガラス１とはユニバーサルジョイント４を介して予め工場で組み付けた上で建築現場に運び込み、建築現場では、上記支持アーム５、５の他端に結合すべき他のユニバーサルジョイント４、４を後述する他の結合手段を介して外壁３に固設し、その後、該ユニバーサルジョイント４、４と上記板ガラス１に結合している支持アーム５、５の他端とを結合する手順で組み立てる。
【００４３】
前記ユニバーサルジョイント４、４は、いずれも、図１に示すように、球状結合部４ａとこれを横及び縦方向に同時に又は別々に回動自在に外装する外装結合部４ｂとで構成したものであり、該外装結合部４ｂの外端側に雌ネジを形成し、これに調整雄ネジ４ｃを螺合して、その締め付け状態を調節することで、前記球状結合部４ａと外装結合部４ｂとの結合堅さを調節するようになっている。
【００４４】
前記支持アーム５の両側に位置するユニバーサルジョイント４、４の内、前記板ガラス１に結合する側のそれには、板ガラス１との結合手段を構成する。
【００４５】
この結合手段は、図１に示すように、中央に抜き孔を備えた挟持円板４ｄと、中央に軸方向に沿って雄ネジ４ｅを立設固定した挟持円板４ｆと、前記ユニバーサルジョイント４の調整雄ネジ４ｃの外端側に開口した雌ネジとで構成したものであり、前記板ガラス１の結合孔１ａに対応させて、その上面側に挟持円板４ｄを配するとともに、その上にユニバーサルジョイント４の外装結合部４ｂの外端を当接させ、他方、該板ガラス１の下面側から前記雄ネジ４ｅを該結合孔１ａ及び挟持円板４ｄの抜き孔を通じて挿入し、前記調整雄ネジ４ｃの雌ネジにこれを螺合し、その外端の挟持円板４ｆを該板ガラス１の下面側に圧接状態にする。こうして前記挟持円板４ｄ、４ｆにより挟持しつつユニバーサルジョイント４の外装結合部４ｂの外端を板ガラス１に固設することができる。
【００４６】
また上記ユニバーサルジョイント４の他端側、即ち、球状結合部４ａには、前記支持アーム５との結合手段が構成されている。
【００４７】
この結合手段は、図１に示すように、上記球状結合部４ａから延長する結合アーム４ｇと、該結合アーム４ｇに形成した結合雌ネジと、前記支持アーム５の該当する端部に形成した結合雌ネジと、両結合雌ネジに螺合する結合雄ネジ４ｈとで構成したものであり、上記結合雄ネジ４ｈを、その一端側から前記支持アーム５の対応する端部の結合雌ネジに螺合し、他端側から前記結合アーム４ｇの結合雌ネジに螺合することで、前記ユニバーサルジョイント４を前記支持アーム５に結合する。この結合状態は接着剤によって接着固定する。
【００４８】
以上のような板ガラス１とユニバーサルジョイント４との結合及びユニバーサルジョイント４と支持アーム５との結合は、既に述べたように、工場で予め行っておくものである。
【００４９】
前記支持アーム５の両側に位置するユニバーサルジョイント４、４の内、前記外壁３に結合する側のそれには、該外壁３との結合手段を構成する。
【００５０】
この結合手段は、図１に示すように、中央に抜き孔を備えた挟持円板４ｉと、雄ネジ１０ａを突出させたアンカー１０と、前記ユニバーサルジョイント４の調整雄ネジ４ｃの外端側に開口した雌ネジとで構成したものであり、前記外壁３に開口した下孔に上記アンカー１０の本体側を挿入して前記雄ネジ１０ａをねじ込み、該アンカー１０を該下孔に固定した上で、該雄ネジ１０ａに前記挟持円板４ｉを抜き孔で外装し、かつこの状態で前記ユニバーサルジョイント４の調整雄ネジ４ｃの雌ネジを該雄ネジ１０ａに螺合し、該調整雄ネジ４ｃの外端が挟持板４ｉを介して外壁３の外面に当接するまでねじ込み、該ユニバーサルジョイント４を外壁３に固設する。前記外壁３に結合する側のユニバーサルジョイント４、４はこのようにして、建築物の外壁３の該当する部位に取り付けるものである。
【００５１】
外壁３に固設する側のユニバーサルジョイント４の他端側、即ち、球状結合部４ａには、前記板ガラス１に固設する側のそれと同様に、前記支持アーム５との結合手段を構成する。
【００５２】
この結合手段は、図１に示すように、前記板ガラス１に固設する側のそれよりも結合雄ネジ４ｈが長い事及び結合雄ネジ４ｈと前記支持アーム５の結合雌ネジとの螺合状態を固定するロックナット４ｊを設けたことを除いてはそれと全く同様の構成である。
【００５３】
前記ユニバーサルジョイント４、４の内、前記外壁３に結合する側のそれは、それのみを、前記のようにして、建築物の外壁３の該当する部位に取り付け、その後、既述のように、工場生産で板ガラス１に組み付けてある支持アーム５と結合するものである。
【００５４】
この結合は、前記板ガラス１の後端を前記後端支持部２に取り付けた上で、図１に示すように、前記結合雄ネジ４ｈを、その一端側から前記支持アーム５の対応する端部の結合雌ネジに螺合し、かつ他端側から前記結合アーム４ｇの結合雌ネジに螺合することで行う。それぞれの螺合状態を適切に調節することで、該支持アーム５を延長する部分の長さを調節し、前記板ガラス１の角度を調整する。通常該板ガラス１は水平に調整する。このように調整した上で、前記ロックナット４ｊを前記支持アーム５側に締め付け、その調整状態を固定する。
【００５５】
したがってこの実施例のガラスによる庇によれば、建築物の外壁３からガラスによる庇を、金属フレームのような構造材を使用せず、板ガラス１自体を構造材として張出させて容易に構成することができる。そしてこのように金属フレームのような構造材が付設されていないので、明るく軽快でスマートなデザインとすることができるものである。
【００５６】
またこの実施例のガラスによる庇によれば、前記板ガラス１は、工場で、その後端に外装保持部６を取り付け、かつその面の該当する二カ所にユニバーサルジョイント４を介して二本の支持アーム５、５を取り付けた上で、建築現場に運び込み、建築現場では、前記支持枠部材７及び上記支持アーム５、５の後端に結合するユニバーサルジョイント４、４のそれぞれを外壁３の該当する部位に固設し、前記支持枠部材７には前記外装保持部６を介して前記板ガラス１の後端を装入して支持させ、前記ユニバーサルジョイント４、４には前記支持アーム５、５の後端をその長さを調節しつつ接続するのみで簡単にその組立が完了できるものである。
【００５７】
またこの実施例のガラスによる庇によれば、後端支持部２が、板ガラス１を起伏自在かつ水平方向回動自在に支持する構造であるため、上記のように建築現場で組み立てる際に、支持アーム５、５の長さを、前記結合雄ネジ４ｈと該支持アーム５、５及び前記結合アーム４ｇの各結合雌ネジとの螺合状態を調節して伸縮調節することで、該板ガラス１の先端を上下させ、その水平方向の角度を調節し、かつ左右方向の角度を調節して適切な状態に設定することができる。それ故、このガラスによる庇を組み付ける外壁３に凹凸や傾きがあってもこれに適切に対処することができる。
【００５８】
なお該板ガラス１は、以上のようにして、支持アーム５、５の長さが固定されると、必然的にその角度等が固定されることになるものではあるが、該板ガラス１の後端と後端支持部２との結合は起伏自在かつ回動自在なものであって、該板ガラス１の後端を外装する外装保持部６と支持枠部材７との間に弾性充填部材８が充填されて、弾力的に構成されているので、該板ガラス１に下方からの風圧等による外力が働けば、その先端に対する引き抜き作用とともに押し上げ作用が働き、先端が若干上昇し、上方から外力が働けば、逆に動作する。また側方から外力が働けば、側方に若干傾く。こうして瞬間的に急激な外力が加わった場合にはこれによってその外力を吸収することができ、その損傷を避けることができるものである。
【００５９】
また上記外力によって生じる引き抜き作用は、先に述べたように、前記外装保持部６の後端と係止片６ｂとの間に、前記支持枠部材７の下板部７ｂから立ち上げた係合突片７ｄが挿入しているので、これによって一定範囲内に規制され、抜け止めが図られることとなる。
【００６０】
こうしてこの実施例のガラスによる庇によれば、従来のこの種の板ガラスを用いた庇や棚等と異なり、構造用のフレーム等を不要とし、明るく軽快なデザインとしながらも、外力に対する耐力を十分に確保することができることとなったものである。
【００６１】
＜実施例２＞
この実施例は本発明を適用したガラス板による棚の例である。
図４に示すように、この実施例の棚は、実施例１と全く同一の部材を用いて内壁１１に構成したものであり、前記一対の支持アーム５、５による棚本体を構成する板ガラス１に対する支持が、該板ガラス１の下方側で行われる事を除いて、実施例１と全く同様である。各部の取り付け方及び取り付けの手順も全く同一である。それ故、図４中の符号も実施例１と同様に付してある。
【００６２】
したがってこの実施例のガラスによる棚によれば、建築物の内壁１１から板ガラス１を容易に張出させて構成することができる。
またこのガラスによる棚は、実施例１の庇と同様の構成であるため、棚としての充分な強度を備えるとともに、明るく軽快でスマートなデザインとなる。
【００６３】
更に棚を構成する板ガラス１がこれに載せる物品の荷重等の外力を受けた場合には、実施例１の庇と同様に、該板ガラス１が若干弾力的に起伏動作又は水平方向の回動動作をすることで、その瞬間的に受ける外力を吸収し、損傷を避けることができることともなっている。このようにガラス板１上に物品を載せた場合は、該板ガラス１には、その後端を支持枠部材７中に押し込む押し込み力が働くこととなるが、このとき、その後端に外装した外装保持部６の後端が前記係合突片７ｄに当接して、それ以上該板ガラス１が押し込み方向に移動するのは規制されることとなる。
【００６４】
したがって、この実施例のガラスによる棚によれば、従来のこの種の板ガラスを用いた棚と異なり、構造用のフレーム等が不要であり、明るく軽快なデザインとしながら、外力に対する耐力を十分に確保することができることとなったものである。
【００６５】
【発明の効果】
したがって本発明の１のガラスによる壁面からの水平張り出し構造によれば、金属フレームのような構造材を不要としながら、充分な強度を備えるとともに、明るく軽快でスマートなデザインのガラスによる壁面からの水平張り出し構造、たとえば、ガラスによる庇や棚等を容易に構成することができる。
【００６６】
また本発明の１のガラスによる壁面からの水平張り出し構造によれば、板ガラスを壁面に固設した後端支持部で起伏自在かつ水平方向回動自在に支持するものであるため、壁面の凹凸があり又は傾斜があるような場合であっても、適切な角度に調節した上で固定することが可能である。
【００６７】
本発明の２のガラスによる壁面からの水平張り出し構造によれば、庇本体又は棚本体等を構成する板ガラスの後端を、弾力的に起伏自在かつ水平方向回動自在に支持する構造を極めて容易に構成し得るものであり、かつそのように構成してあるため、壁面の凹凸があり又は傾斜があるような場合であっても、適切な角度に調節した上で固定することが可能である。
【００６８】
更に前記板ガラスが風圧その他の強い外力を受けた場合には、該板ガラスが若干弾力的に起伏動作又は水平方向の回動動作をすることで、その外力を吸収し、該板ガラスに最終的に加わる外力を低減させることができるものである。
【００６９】
またこのように構成することにより、工場生産で、前記板ガラスの後端に外装保持部を取り付け、かつ該板ガラスの面にユニバーサルジョイントを介して支持アームを取り付けておき、その状態で建築現場に運び込み、建築現場では、支持枠部材及び上記支持アームの後端に結合するユニバーサルジョイントをそれぞれ壁に固設した上で、上記支持枠部材には上記板ガラスの後端の外装保持部を挿入支持させ、上記ユニバーサルジョイントには上記支持アームの後端をその長さを調節しつつ接続するのみで簡単に組立を完了させることができる。
【００７０】
本発明の３のガラスによる壁面からの水平張り出し構造によれば、庇本体又は棚本体等を構成する板ガラスを容易に適切な弾力性をもって起伏動作すべく構成することができる。
【図面の簡単な説明】
【図１】実施例１の庇の側面断面図。
【図２】  (a)は実施例１の庇に於ける板ガラスをその後端で水平状態に支持している後端支持部を示す拡大断面図。
(b)は実施例１の庇に於ける板ガラスをその後端で先下がり状態に支持している後端支持部を示す拡大断面図。
(c)は実施例１の庇に於ける板ガラスをその後端で先上がり状態に支持している後端支持部を示す拡大断面図。
【図３】実施例１の庇の概略斜視図。
【図４】実施例２の棚の側面断面図。
【符号の説明】
１    板ガラス
１ａ  結合孔
２    後端支持部
３    外壁
４    ユニバーサルジョイント
４ａ  球状結合部
４ｂ  外装結合部
４ｃ  調整雄ネジ
４ｄ  挟持円板
４ｅ  雄ネジ
４ｆ  挟持円板
４ｇ  結合アーム
４ｈ  結合雄ネジ
４ｉ  挟持円板
４ｊ  ロックナット
５    支持アーム
６    外装保持部
６ａ  延長片
６ｂ  係止片
７    支持枠部材
７ａ  上板部
７ｂ  下板部
７ｃ  背板部
７ｄ  係合突片
８    弾性充填部材
８ａ  ゴム製弾性部材
８ｂ  シーリング材
８ｃ  バックアップ材
９    アンカー
１０  アンカー
１０ａ  雄ネジ
１１  内壁
【図１】
0003714903.tif 000002
【図２】
0003714903.tif 000003
【図３】
0003714903.tif 000004
【図４】
0003714903.tif 000005